(57)【要約】【課題】鉢植えの植物に給水する場合に、手間をかけずに給水が出来、自然に近いかたちで給水変動を与えながら給水する方法を提供する。【解決手段】給水タンクに倒立式の補助タンクを複数設け、各々排出高さレベルを変えてセットする事により、給水タンクの水の消費により順番に補助タンクが空になり、その度に給水タンクの水位が低下する。再度補助タンクに補給しセットすると、給水タンク水位が上昇する。この給水タンクセットと、水位レベルに応じて吸水量が変化する鉢セットを接続する事により、補助タンクへ補給を繰返すだけで、鉢植えの植物に乾湿の変化を与えながら給水する事が出来る。【選択図】図５
2005278585.tif 000002
【特許請求の範囲】
【請求項１】
給水タンクに倒立式の補助タンクを設ける構造に於いて、補助タンクを複数個使い、各々の排出レベル高さに違いを設ける事により、補助タンクが順番に空になり、空になる毎に給水タンクの液面レベルが低下する様にした給水タンクセット。
【請求項２】
請求項１に於いて、片面凹部と反対面の凸部がはめ合う様にした同一形状のタンク底敷きスペーサを、倒立式補助タンクの下部設置位置で、給水タンク底よりはめ合わせて積上げる事により、補助タンクの設置高さを変えて排出レベルを変える様にした調整方法。
【請求項３】
請求項１に於いて、給水タンクの液面レベルに応じて給水出来る様にした鉢を接続する事により、補助タンクの消費と補給を繰り返す事で、給水タンクの液面レベルが変動し、鉢への給水に変化が生じ、土の含水量が変動する様にした給水方法。
【発明の詳細な説明】
【技術分野】
【０００１】
本発明は、給水タンクへの補給方法と、鉢植えの植物に給水タンクより給水する方法に関してである。
【背景技術】
【０００２】
鉢に給水する場合、栽培している植物を痛めない様に注意して水をやる必要があった。特に花が咲いた場合等は、注意深く水を散水する必要があり、単純な作業の割に手間のかかる作業であった。
【０００３】
鉢に必要以上の給水をしても、土の許容量を越えると排水してしまい無駄になっていた。特に夏場は直ぐに乾燥してしまい、１日に何回か給水してやる必要があった。
【０００４】
鉢の給水作業を簡素化する為に、給水タンクに単独の倒立式補助タンクを設けた場合、液面レベルが一定となってしまい一様な給水になってしまっていた。
【特許文献１】特開２００４−０８１１６７号公報
【発明の開示】
【発明が解決しようとする課題】
【０００５】
鉢に給水する場合、手軽にホースで給水すると水の噴射圧で植物を痛めてしまうという問題点があった。
【０００６】
夏場の乾燥し易い時期では、水を与えても直ぐに乾燥してしまい、１日に何回か与えてやらなければならないという問題点が有った。
【０００７】
鉢を外部の給水タンクと接続して給水する方法において、一つの倒立式の補助タンクによる水の補給では、水位が一定となってしまい、自然界で生じる様な乾湿の変化が出せないという問題点があった。
【課題を解決するための手段】
【０００８】
この発明は、鉢に給水する為に接続する給水タンクに、倒立式の補助タンクを複数個セットする事により、従来の問題点を解決したものである。
【０００９】
外部より給水出来る様にした鉢と給水タンクを接続する事により、鉢への給水は給水タンクから間接的に行う為、植物を傷める事無く給水する事が出来る。
【００１０】
接続する給水タンクに複数の倒立式補助タンクを設置する事により、給水量が確保出来、水やりの回数を大幅に減らす事が出来る。
【００１１】
給水タンクに設けた複数の倒立式補助タンクの排出高さレベルを変える事により、補助タンクが順番に空になり、且つ空になる毎に給水タンクの液面高さを低下させる事が出来る。
【発明の効果】
【００１２】
この発明により鉢への給水は、接続した給水タンクの液面レベルに応じて行う事が出来、植物を傷める事無く給水する事が出来る。
【００１３】
給水タンクへの水の補給は、複数の倒立式補助タンクより行う事が出来、補助タンクの容量分の給水が可能となり、給水回数を大幅に削減する事が出来る。
【００１４】
給水タンクに複数個の補助タンクを設け、各々の補助タンク排出口高さを変える事により、高い位置の補助タンクより順に空に出来る。又、空になる毎に給水タンクの液面レベルを低下させる事が出来る。
【００１５】
補助タンクを置く給水タンクの底に、同一形状のタンク底敷きスペーサを積上げる事により、補助タンクの高さレベルの設置が出来、積上げる数を変える事により、設置高さを変える事が出来る。
【発明を実施するための最良の形態】
【００１６】
使用する鉢は、給水タンクと接続出来る様になっており、鉢側の槽は、底部が給水タンクとの接続口以外密閉されていて水が漏れない構造になっている。この部分からの給水は、自己浸透作用により土全般へ吸水する様になっている。
【００１７】
給水タンクにセットする倒立式の補助タンクは、使用済みのペットボトルを使う事により、処分せずにリサイクルが出来る。倒立式補助タンクを設置する時、口部を塞がずに側面より排出出来るアダプターを口部にネジ込む事により、アダプターで自重を保持させながら排出させる事が出来る。飲料用ペットボトルの口部は、殆どが共通のネジになっており、同一の口部アダプターで色々なサイズの補助タンクとして利用出来る。
【００１８】
補助タンクの排出レベル高さは、セットする給水タンクの底にタンク底敷きスペーサを積上げる事により調整出来る。底敷きスペーサは、片面の凹部と反対面の凸部がはめ合う様になっており、位置決めしながら積上げる事が出来る。
【００１９】
倒立式補助タンクは、口部アダプター部をタンク底敷きスペーサに置く事により自重を支え、給水タンク蓋の上部抜き穴は、補助タンクが丁度入る大きさになっており、タンクの倒れ止め作用を持たしている。
【００２０】
給水タンクに補助タンクをセットする場合、タンク底敷きスペーサの数を変えてセットする事により、排出高さを変えることが出来る。補助タンク全てに補給してセットすると、一番排出高さの高い位置まで給水タンクの水位が上昇してバランスする。
【００２１】
給水タンクの水を消費していくと、一番排出レベルの高い補助タンクが最初に空になる。空になる迄給水タンクの水位は同一レベルを保持するが、空になると、次に高い排出レベルの補助タンクの水位迄低下する。
【００２２】
この様に、セットした排出高さの順に補助タンクが空になり、その度に給水タンクの水位が低下していく。給水タンクの水位が低下すると、給水タンクと接続した鉢土への自己浸透力が低下し、これにより土の水分量が低下する。
【００２３】
全部の補助タンクが空に近付いた段階で、補助タンク全てに水を補給しセットする事により、給水タンクの水位が補助タンクの一番高い排出位置迄回復する。この様に補助タンクの補給を繰り返す事により、給水タンクの水位が変化し、給水タンクに接続した鉢土の水分量も変化させる事が出来、変化のある給水が出来る。
【実施例１】
【００２４】
この発明の実施例である図１は、給水タンク４に補助タンク１と補助タンク２をセットした図である。補助タンク１と２は、不要になった飲料用ペットボトルを利用している。ペットボトルの口部には、排出口アダプター３がねじ込まれている。
【００２５】
給水タンク４の底部には、タンク底敷きスペーサ６がセットしてある。補助タンク１と２は、タンク底敷きスペーサ６の数を変える事により設置高さが変えてある。補助タンク１は、補助タンク２より多くの底敷きスペーサが積まれており、設置高さが高くなっている。
【００２６】
図２は、補助タンク１と２の設置高さの違いによる給水タンク４の液面レベルの違いを示している。補助タンク１と２に水を補給し給水タンク４にセットした場合、給水タンク４の液面レベルは、高い位置にセットした補助タンク１の排出高さ迄上昇しバランスする。
【００２７】
図２の満水位９は、補助タンク１と２に補給した時のバランス水位である。次に給水タンク４の水が給水ホース７を通して消費されると、高い位置にセットした補助タンク１が空になり、給水タンク４の水位は、補助タンク２の排出高さの位置迄低下する。補助タンク２が空になる迄、給水タンク４の低水位１０が保持される。
【００２８】
この様に補助タンク１と２に補給する事で、給水タンク４の液面レベルは満水位９になり、給水タンク４の水が消費される事により、液面レベルは低水位１０迄下がる。補助タンク１と２の補給と消費を繰り返す事により、給水タンク４の液面レベルを変動させる事が出来る。この液面の変動幅が液面変位量１１であり、補助タンクに補給をする毎に変位を繰り返す。
【実施例２】
【００２９】
図３は、補助タンク１と２の設置高さを変えた構成図である。給水タンク４の補助タンク１及び２を置く位置に、給水タンク凹部１２が設けてあり、この部分に、タンク底敷きスペーサ６のスペーサ凸部１３がはまり込みタンク底敷きスペーサ６の位置固定が出来る。
【００３０】
タンク底敷きスペーサ６は片面にスペーサ凸部１３があり反対面のスペーサ凹部１４が互いにはまり込むサイズになっている。同じ形状のスペーサを積上げる事が出来、積上げる数により高さを変える事が出来る。
【００３１】
図４は、タンク底敷きスペーサ６のスペーサ凸部１３がピン構造になっている場合を示している。ピン構造である為、タンク底敷きスペーサ６の位置合わせがやり易く、簡単に設置出来る。
【実施例３】
【００３２】
図５は、給水タンクセットを鉢セットに接続した場合の図である。鉢セットは、鉢１５と中鉢１６により構成されており、中鉢１６は下部が密閉された下面にホース接続口が付いており、給水ホース７により給水タンク４と接続されている。中鉢１６の中には鉢の土１７が入っており、給水タンク４の水位に応じて鉢の土１７の自己浸透作用により外部にこぼす事無く鉢の土１７全般に吸水する様になっている。
【００３３】
補助タンク１と２に補給して給水タンク４にセットした場合、給水タンク４の水位は満水位状態となり、給水タンク４の水位に応じた中鉢１６内の土吸水状態となる。この土吸水部より、土の自己浸透作用により鉢の土１７全般へと浸透して行く。給水タンク４の水位が高い位置にある場合、この分中鉢１６への土吸水レベルも高い位置にあり、鉢の土１７の含水量が高くなる。
【００３４】
次に、鉢１５で栽培している植物により水を消費すると、消費した分給水タンク４から補給されバランス状態を保つ。給水タンク４から補給されると、給水タンク４の水位が下がり、水位が下がると水位を保持する様に補助タンク１から補給され、給水タンク４の水位は一定に保持される。
【００３５】
補助タンク１が空になると給水タンク４の水位が下がり、補助タンク２の水が消費される様になる。この時、水位が下がった分鉢の土１７の吸水レベルも下がり、鉢の土１７の含水量が低下する。
【００３６】
補助タンク２が空になる前に、補助タンク１と２を満タンにして再度セットすれば、給水タンク４の水位は高くなり、鉢の土は高含水状態となる。この様に補助タンク１と２の補給を繰り返すだけで、鉢の土１７の含水状態を変化させる事が出来る。
【産業上の利用可能性】
【００３７】
補助タンク２個の場合は、２段階の給水タンク水位変化であるが、複数個使えば複数段の水位変化を作る事が出来、滑らかな水位変化を持たせる事が出来る。又、この給水タンクセットを散水用に利用すれば、給水タンクの水位変化に応じて散水量も変化する為、変化のある散水装置として利用出来る。
【図面の簡単な説明】
【００３８】
【図１】給水タンクに倒立式補助タンクをセットした図である。
【図２】倒立式補助タンクの状態による水位変化の図である。
【図３】タンク底敷きスペーサのセット方法の図である。
【図４】タンク底敷きスペーサの形状を変えたセット図である。
【図５】給水タンクを鉢セットに接続した全体図である。
【符号の説明】
【００３９】
１    補助タンク１
２    補助タンク２
３    排出口アダプター
４    給水タンク
５    給水タンク蓋
６    タンク底敷きスペーサ
７    給水ホース
８    水
９    満水位
１０    低水位
１１    液面変位量
１２    給水タンク凹部
１３    スペーサ凸部
１４    スペーサ凹部
１５    鉢
１６    中鉢
１７    鉢の土
【図１】
2005278585.tif 000003
【図２】
2005278585.tif 000004
【図３】
2005278585.tif 000005
【図４】
2005278585.tif 000006
【図５】
2005278585.tif 000007